(57)【要約】      （修正有）【課題】遠隔監視対象機器の初期設定において、作業員の負担を低減し、かつ、正確な初期設定を可能とする。【解決手段】監視対象設備２００のセンサ信号を、当該外部機器Ｉ／Ｆ１２１を介して収集し、予め定めた監視内容に従って監視するとともに、監視センタに送信する遠隔監視装置１００であって、外部機器Ｉ／Ｆ１２１への監視対象設備２００の接続を検出し、監視対象設備の固有情報２４０を取得する固有情報取得部１１２と、取得した固有情報２４０から、監視対象設備２００毎に監視内容を対応づける初期設定を要求する初期設定要求データを作成する要求データ作成部１１３と、作成した初期設定要求データを、監視センタサーバに送信する通信装置と、初期設定要求データに応じて返信された、固有情報毎の監視内容を含む初期設定データを設定情報１５０として登録する初期設定部１１４と、を備える。【選択図】図２
2019106568.tif 000002
【特許請求の範囲】
【請求項１】
外部機器インタフェースを備え、監視対象とする設備機器である監視対象設備に取り付けられたセンサからの信号を、当該外部機器インタフェースを介して収集し、予め定めた監視内容に従って監視するとともに、監視センタに送信する遠隔監視装置であって、
前記外部機器インタフェースへの前記監視対象設備の接続を検出し、当該監視対象設備を識別する情報である固有情報を取得する固有情報取得部と、
取得した固有情報から、監視対象設備毎に前記監視内容を対応づける初期設定を要求する初期設定要求データを作成する要求データ作成部と、
作成した前記初期設定要求データを、前記監視センタに送信する通信部と、
前記初期設定要求データに応じて返信された、前記固有情報毎の前記監視内容を含む初期設定データを設定情報として登録する初期設定部と、を備えること
を特徴とする遠隔監視装置。
【請求項２】
請求項１記載の遠隔監視装置であって、
前記固有情報取得部は、当該遠隔監視装置の電源が投入されると、前記外部機器インタフェースに接続されている全ての前記監視対象設備に固有情報送信要求を送信し、前記固有情報を取得すること
を特徴とする遠隔監視装置。
【請求項３】
請求項１記載の遠隔監視装置であって、
前記外部機器インタフェースには、さらに、前記監視センタとのデータの送受信を行う通信装置が接続され、
前記固有情報取得部は、前記通信装置の前記固有情報も取得し、
前記初期設定要求データは、前記通信装置の固有情報も含むこと
を特徴とする遠隔監視装置。
【請求項４】
請求項２記載の遠隔監視装置であって、
出力部をさらに備え、
前記固有情報取得部は、前記固有情報送信要求に対し、所定の期間内に前記固有情報を受信しない場合、接続不良と判断し、
前記出力部は、前記固有情報取得部が前記接続不良と判断した場合、当該接続不良を意味する警告を出力すること
を特徴とする遠隔監視装置。
【請求項５】
遠隔監視装置からの初期設定要求データに応じて、前記遠隔監視装置が監視対象とする設備機器である監視対象設備の監視内容を含む初期設定データを生成し、要求元の前記遠隔監視装置に返信する監視センタサーバであって、
監視対象設備候補毎の、固有情報と前記監視内容とを対応づけたデータを記憶する記憶部と、
前記初期設定データを生成する制御部と、を備え、
前記初期設定要求データには、前記固有情報が含まれ、
前記制御部は、前記記憶部に記憶された前記データを参照し、前記初期設定要求データに含まれる前記固有情報に対応づけて記憶される前記監視内容を抽出し、前記初期設定データを生成すること
を特徴とする監視センタサーバ。
【請求項６】
監視対象の設備機器である監視対象設備を検出する検出ステップと、
検出した前記監視対象設備の固有情報を取得する固有情報取得ステップと、
前記固有情報から、前記監視対象設備毎に監視内容を対応づける初期設定を要求する初期設定要求データを作成する要求データ作成ステップと、
前記初期設定要求データに応じて、前記固有情報毎の前記監視内容を含む初期設定データを生成する初期設定データ生成ステップと、
前記初期設定データを設定情報として登録する初期設定登録ステップと、を備えること
を特徴とする監視対象設備の初期設定方法。
【発明の詳細な説明】
【技術分野】
【０００１】
本発明は、ビル等に備えられた各種設備機器の遠隔監視技術に関する。特に、監視対象機器の初期設定技術に関する。
【背景技術】
【０００２】
ビルに備えられた、エレベーターなどの各種設備機器の状態は、設備機器に設置された各種センサにより検出し、遠隔監視装置を介して監視センタに送信されて統括的に監視される。このため、遠隔監視装置と監視センタとの双方で、監視対象設備に係る情報を記憶する、いわゆる初期設定が必要である。
【０００３】
従来、この初期設定の手法として、例えば、特許文献１から３に開示の手法がある。
【０００４】
特許文献１には、「携帯端末装置を監視端末装置および統括監視所に接続した後、入力部を操作して固有情報要求信号を入力すると、中央制御部は通信回線を介して固有情報要求信号を統括監視所に送信する。統括監視所の中央制御部は新設の監視端末装置の初期設定に必要な固有情報を通信回線を介して監視端末装置に送信させる。監視端末装置の中央制御部はそれらの固有情報を記憶部に記憶させる（要約抜粋）」技術が開示されている。
【０００５】
また、特許文献２には、「建屋に表示器兼操作盤を含むエレベーター機器を制御する制御盤との間で通信可能に設けられた監視端末が新設された時に、複数の監視端末と通信回線を介して統括的に監視する監視センタから新設された監視端末に、その固有情報を送信して初期登録設定を行うエレベーター監視端末の初期設定登録方法において、エレベーターの表示器兼操作盤により前記監視センタに通信回線を介して新設された前記監視端末に、その固有情報の送信を要求する固有情報要求信号を送信する（要約抜粋）」技術が開示されている。
【先行技術文献】
【特許文献】
【０００６】
【特許文献１】特開２０００−０３２５７２号公報
【特許文献２】特開２００５−３１４０８４号公報
【発明の概要】
【発明が解決しようとする課題】
【０００７】
上記従来技術によれば、作業員が現場に出向き、初期設定を行う必要がある。このため、作業員には負担が大きい。また、設定に人手がかかわることにより、発生するミスも防ぎきれない。
【０００８】
本発明は、上記事情に鑑みてなされたもので、遠隔監視対象機器の初期設定において、作業員の負担を低減し、かつ、正確な初期設定を可能とする技術を提供することを目的とする。
【課題を解決するための手段】
【０００９】
本発明は、外部機器インタフェースを備え、監視対象とする設備機器である監視対象設備に取り付けられたセンサからの信号を、当該外部機器インタフェースを介して収集し、予め定めた監視内容に従って監視するとともに、監視センタに送信する遠隔監視装置であって、前記外部機器インタフェースへの前記監視対象設備の接続を検出し、当該監視対象設備を識別する情報である固有情報を取得する固有情報取得部と、取得した固有情報から、監視対象設備毎に前記監視内容を対応づける初期設定を要求する初期設定要求データを作成する要求データ作成部と、作成した前記初期設定要求データを、前記監視センタに送信する通信部と、前記初期設定要求データに応じて返信された、前記固有情報毎の前記監視内容を含む初期設定データを設定情報として登録する初期設定部と、を備えることを特徴とする遠隔監視装置を提供する。
【００１０】
また、本発明は、監視対象の設備機器である監視対象設備を検出する検出ステップと、前記監視対象設備の固有情報を取得する固有情報取得ステップと、検出した前記固有情報から、前記監視対象設備毎に監視内容を対応づける初期設定を要求する初期設定要求データを作成する要求データ作成ステップと、前記初期設定要求データに応じて、前記固有情報毎の前記監視内容を含む初期設定データを生成する初期設定データ生成ステップと、前記初期設定データを設定情報として登録する初期設定登録ステップと、を備えることを特徴とする監視対象の設備機器の初期設定方法を提供する。
【発明の効果】
【００１１】
本発明によれば、遠隔監視対象機器の初期設定において、作業員の負担を低減し、正確な初期設定ができる。
【図面の簡単な説明】
【００１２】
【図１】本発明の実施形態の遠隔監視システムの構成図である。
【図２】本発明の実施形態の遠隔監視システムを構成する各装置の機能ブロック図である。
【図３】（ａ）、（ｂ）および（ｃ）は、本発明の実施形態の遠隔監視装置が保持する固有情報、設定情報、および監視情報の、それぞれ一例を説明するための説明図である。
【図４】（ａ）は、本発明の実施形態の監視対象設備が保持する固有情報の、（ｂ）および（ｃ）は、本発明の実施形態の通信装置が保持する固有情報および通信情報の、それぞれ一例を説明するための説明図である。
【図５】（ａ）、（ｂ）および（ｃ）は、本発明の実施形態の監視センタサーバが保持する通信情報、機種データベース、および、監視内容データベースの、それぞれ一例を説明するための説明図である。
【図６】（ａ）、（ｂ）および（ｃ）は、本発明の実施形態の監視センタサーバが保持する対応情報、設定情報、および、監視情報の、それぞれ一例を説明するための説明図である。
【図７】本発明の実施形態の、各装置のハードウェア構成図である。
【図８】本発明の実施形態の初期設定処理のフローチャートである。
【図９】本発明の実施形態の、初期設定要求データおよび送信データの生成手法を説明するための説明図である。
【図１０】（ａ）〜（ｃ）は、本発明の実施形態の、監視センタサーバ内の対応情報更新処理を説明するための説明図である。
【図１１】（ａ）〜（ｃ）は、本発明の実施形態の、監視センタサーバ内の対応情報更新処理を説明するための説明図である。
【図１２】（ａ）〜（ｄ）は、本発明の実施形態の初期設定データ生成手法を説明するための説明図である。
【発明を実施するための形態】
【００１３】
以下、本発明の実施形態について、図面を用いて説明する。本明細書において、同一機能を有するものは、特に断らない限り同一の符号を付し、繰り返しの説明は省略する。なお、この実施形態によりこの発明が限定されるものではない。また、下記実施形態における構成要素には、当業者が置換可能かつ容易なもの、あるいは、実質的に同一のものが含まれる。
【００１４】
本実施形態では、建物内のエレベーター等の各種設備機器の状態を、それらに取り付けた各種センサにより検出し、検出結果を、遠隔地で集中管理する監視センタに送信し、監視センタで統括的に管理する。各建物には、検出結果を集約し、例えば、ネットワークを介して監視センタに送信する遠隔監視装置が設けられる。
【００１５】
例えば、新たに遠隔監視装置が設置された場合、あるいは、遠隔監視装置が監視する対象の設備機器が増設されたり、変更されたりした場合、遠隔監視装置と監視センタとの双方で、監視対象設備に係る情報を記憶する、いわゆる初期設定が行われる。本実施形態では、この初期設定を、遠隔監視装置の電源が投入されたことを契機に、自動的に行う。本実施形態では、この初期設定の手法に主眼をおいて説明する。
【００１６】
まず、これを実現する、本実施形態の遠隔監視システムの構成を説明する。図１は、本実施形態の遠隔監視システムの構成図である。
【００１７】
本図に示すように、本実施形態の遠隔監視システム５００は、遠隔監視装置１００と、通信装置３００と、監視センタサーバ４００と、監視対象の設備機器（監視対象設備）２００と、を備える。通信装置３００と、監視センタサーバ４００とは、ネットワーク５０１を介して相互にデータの送受信を行う。
【００１８】
図１では、監視対象設備２００として、例えば、エレベーター２０１と、エスカレーター２０２と、エアコン２０３とを備える場合を例示する。監視対象設備２００は、これらに限定されない。例えば、セキュリティシステム、電気設備一般、防犯カメラ、火災報知器、消防用設備等も対象であってもよい。
【００１９】
また、ここでは、１つの遠隔監視装置１００を例示するが、監視センタサーバ４００が管理する遠隔監視装置１００の数も問わない。
【００２０】
以下、各構成の詳細を、図２を用いて説明する。
【００２１】
［遠隔監視装置］
遠隔監視装置１００は、例えば、ビル等に備えられ、当該ビル内の各監視対象設備の状態を監視するとともに、状態を示す情報を監視センタに送信する。本実施形態では、各監視対象設備の監視内容が設定された設定情報に従って、監視対象設備２００の状態を検出し、通信装置３００を介して監視センタに配置される監視センタサーバ４００に送信する。
【００２２】
このような監視を行うため、上述のように、遠隔監視装置１００自体が新たに取り付けられた場合、および、監視対象設備２００の構成に変更があった場合等、この設定情報を新たに設定または更新する初期設定を行う。
【００２３】
初期設定を行うため、本実施形態の遠隔監視装置１００は、固有情報取得部１１２と、要求データ作成部１１３と、初期設定部１１４と、監視部１１５と、入出力制御部１１６と、外部機器インタフェース（Ｉ／Ｆ）１２１と、記憶部１３１と、を備える。
【００２４】
記憶部１３１には、固有情報１４０と、設定情報１５０と、監視情報１６０と、が格納される。
【００２５】
固有情報１４０は、図３（ａ）に示すように、遠隔監視装置１００を一意に識別する識別情報である。各装置に予め付与される製造番号、ＩＰアドレス、ＭＡＣアドレス等を用いてもよいし、識別情報として新たに付与された情報であってもよい。
【００２６】
設定情報１５０は、上述のように、この遠隔監視装置１００が監視する監視対象設備２００それぞれの監視内容が登録されたデータである。本実施形態では、後述するように、各監視対象設備２００がセンサを備え、そのセンサ信号を監視対象とする。このため、監視内容として、図３（ｂ）に示すように、監視対象設備２００の固有情報１５２毎の、センサを特定する情報（センサＩＤ）１５３と、異常と判定する基準（異常）１５４とが登録される。
【００２７】
監視情報１６０には、初期設定後、各監視対象設備２００から送信されるセンサ信号が、その受信時刻とともに蓄積される。図３（ｃ）に示すように、監視対象設備２００の固有情報１６１毎に、センサＩＤ１６２と、センサ信号が示す状態１６３と、異常と判定された場合に設定される異常フラグ１６４と、取得時刻１６５とが登録される。
【００２８】
外部機器Ｉ／Ｆ１２１は、遠隔監視装置１００と、遠隔監視装置１００に接続される外部機器との間で、データの送受信を実現する。本実施形態で、遠隔監視装置１００には、監視対象設備２００と、通信装置３００とが接続される。従って、これらの装置との間のデータの送受信を行う。データの送受信は、有線であっても無線であってもよい。
【００２９】
固有情報取得部１１２は、電源が投入されたことを契機に、外部機器Ｉ／Ｆ１２１に接続されている外部機器を探索し、その固有情報を取得する。また、外部機器Ｉ／Ｆ１２１に、新たに外部機器が接続されたことを検出すると、当該外部機器の固有情報を取得する。
【００３０】
本実施形態では、固有情報取得部１１２は、例えば、自身の外部機器Ｉ／Ｆ１２１に接続される全機器に対し、固有情報リクエストを送信し、折り返し、送信される固有情報を取得する。本実施形態では、遠隔監視装置１００には、監視対象設備２００と、通信装置３００とが接続される。従って、これらの装置から固有情報を取得する。
【００３１】
固有情報取得部１１２は、取得した固有情報を、記憶部１３１に格納するとともに、要求データ作成部１１３に出力する。
【００３２】
要求データ作成部１１３は、固有情報取得部１１２から受信した固有情報と、記憶部１３１に格納される自身の固有情報１４０とを用いて、初期設定要求データを作成する。作成した初期設定要求データは、外部機器Ｉ／Ｆ１２１を介して通信装置３００に出力される。ここで、作成される初期設定要求データの詳細は、後述する。
【００３３】
初期設定部１１４は、監視センタサーバ４００から送信された初期設定データを、設定情報１５０として記憶部１３１に登録する。
【００３４】
監視部１１５は、記憶部１３１に登録された設定情報１５０情報に従って、監視対象設備２００を監視する。監視結果は、外部機器Ｉ／Ｆ１２１、後述する通信装置３００を介して、監視センタサーバ４００に出力される。なお、監視結果は、入出力制御部１１６を介して、遠隔監視装置１００に接続される出力装置に出力されてもよい。
【００３５】
入出力制御部１１６は、遠隔監視装置１００に接続される出力装置に情報を出力する。本実施形態では、例えば、出力装置として、後述するように、ディスプレイ、スピーカ等が接続される。
【００３６】
［監視対象設備］
監視対象設備２００は、上述のように、遠隔監視装置１００が備えられたビル内の各種の設備である。監視対象設備２００は、所定の時間間隔で、自機器の各部位に備えられたセンサの検出信号を、遠隔監視装置１００に送信する。本実施形態の監視対象設備２００は、記憶部２３１と、センサ２５０と、外部機器Ｉ／Ｆ２２１とを備える。
【００３７】
記憶部２３１には、図４（ａ）に示すように、監視対象設備２００を識別する固有情報２４０が格納される。
【００３８】
センサ２５０は、監視対象設備２００の状態を検出し、検出結果をセンサ信号として出力する。例えば、監視対象設備２００がエレベーターであれば、ドアの開閉、電源のＯＮ／ＯＦＦ状態、かご内通話の導通状態等を検出する。センサ信号は、外部機器Ｉ／Ｆ２２１を介して遠隔監視装置１００に出力される。
【００３９】
外部機器Ｉ／Ｆ２２１は、監視対象設備２００と遠隔監視装置１００との間でデータの送受信を行う。本実施形態では、遠隔監視装置１００からの固有情報リクエストを受信すると、そのリクエストに応じて、要求元の遠隔監視装置１００に、固有情報２４０を送信する。また、センサ信号を所定の時間間隔で遠隔監視装置１００に送信する。
【００４０】
［通信装置］
通信装置３００は、遠隔監視装置１００をネットワーク５０１に接続する通信部として機能する。本実施形態では、通信処理部３１１と、外部機器Ｉ／Ｆ３２１と、記憶部３３１とを備える。
【００４１】
記憶部３３１には、通信装置３００の各部が処理を行うために必要なデータが格納される。本実施形態では、例えば、自装置の固有情報３４０と通信情報３５０とが格納される。
【００４２】
固有情報３４０は、図４（ｂ）に示すように、通信装置３００を一意に識別する識別情報である。
【００４３】
通信情報３５０は、ネットワーク５０１を介した通信に用いられる情報である。本実施形態では、図４（ｃ）に示すように、通信装置３００のネットワーク５０１内でのアドレス（ＩＰアドレス等）３５１と、データの送信先である監視センタサーバ４００の同アドレス３５２とが通信情報として記憶される。
【００４４】
なお、通信装置３００では、固有情報３４０は、通信装置３００のアドレス３５１が兼ねてもよい。以下、本実施形態では、固有情報３４０も、アドレス３５１を用いる場合を例にあげて説明する。
【００４５】
外部機器Ｉ／Ｆ３２１は、外部装置との入力Ｉ／Ｆである。本実施形態では、通信装置３００は、遠隔監視装置１００に接続される。従って、遠隔監視装置１００とデータの送受信を行う。本実施形態では、遠隔監視装置１００からの固有情報リクエストに応じて、記憶部３３１に格納される自身の固有情報３４０を遠隔監視装置１００に送信する。また、遠隔監視装置１００から、初期設定要求データが送信されると、後述の通信処理部３１１に受け渡す。
【００４６】
通信処理部３１１は、記憶部３３１に記憶される通信情報３５０を用いて、ネットワーク５０１を介した外部装置との通信を行う。本実施形態では、外部機器Ｉ／Ｆ３２１から受け取った初期設定要求データを、通信情報３５０を用いて送信データとして生成し、監視センタサーバ４００に送信する。
【００４７】
［監視センタサーバ］
監視センタサーバ４００は、監視センタに備えられ、管理対象とする各遠隔監視装置１００から送信される監視情報を管理する。監視情報を管理するため、各遠隔監視装置１００が監視する監視対象設備２００およびその監視内容を特定する初期設定を行う。
【００４８】
これを実現するため、本実施形態の監視センタサーバ４００は、通信処理部４１１と、制御部４１２と、記憶部４３１とを備える。
【００４９】
記憶部４３１には、監視センタサーバ４００の各部が処理を行うために必要なデータが保存される。本実施形態では、例えば、通信情報４４０と、機種データベース（ＤＢ）４５０と、監視内容ＤＢ４６０と、対応情報４７０と、設定情報４８０と、監視情報４９０と、が格納される。
【００５０】
通信情報４４０は、ネットワーク５０１を介した通信に用いられる情報である。例えば、図５（ａ）に示すように、自装置（監視センタサーバ）の、ネットワーク５０１上のアドレス４４１と、データの送受信を行う可能性のある全ての通信装置３００のアドレス４４２とが記憶される。データを送受信する相手の通信装置３００が複数ある場合は、通信装置３００を特定する情報にそれぞれ対応づけて、複数のアドレスを格納してもよい。
【００５１】
なお、通信装置３００のアドレス４４２は、予め登録されていてもよいし、最初に初期設定要求データを含む送信データを受信した際、当該送信データ内に格納されている送信元のアドレスを登録するよう構成してもよい。
【００５２】
機種ＤＢ４５０は、図５（ｂ）に示すように、監視対象設備２００の固有情報４５１毎に、機種を特定する情報（機種）４５２が登録されるデータベースである。図５（ｂ）の例では、機種を特定する情報（機種）４５２として、機種名が登録される。本実施形態では、監視センタサーバ４００が監視対象とする可能性のある、全ての監視対象設備（監視対象設備候補）２００の固有情報４５１が格納される。機種ＤＢ４５０は、予め登録される。
【００５３】
監視内容ＤＢ４６０は、図５（ｃ）に示すように、機種４６１毎の監視内容が登録されるデータベースである。本実施形態では、監視内容として、当該機種に取り付けられるセンサ２５０のセンサＩＤ４６２と、当該センサ２５０が取り付けられて状態情報を取得する部位を特定する情報（部位）４６３と、センサ信号を異常と判定する基準（異常）４６４と、が登録される。監視内容ＤＢ４６０は、予め登録される。
【００５４】
対応情報４７０は、図６（ａ）に示すように、遠隔監視装置１００の固有情報４７１毎に、当該遠隔監視装置１００の通信装置３００の固有情報４７２および監視対象設備２００の固有情報４７３を対応づけたデータである。各遠隔監視装置１００から送信された初期設定要求データを用いて、生成および更新される。
【００５５】
設定情報４８０は、各遠隔監視装置１００が監視する監視対象設備２００それぞれの監視内容を、遠隔監視装置１００毎に登録したデータである。図６（ｂ）に示すように、遠隔監視装置１００の固有情報４８１および対応する通信装置３００の固有情報４８２毎に、監視対象設備２００の固有情報４８３が登録される。そして、各監視対象設備２００の固有情報４８３毎に、監視内容としてセンサＩＤ４８４と、異常と判定する基準（異常）４８５とが登録される。
【００５６】
なお、設定情報４８０は、各遠隔監視装置１００からの初期設定要求データに応じて生成する初期設定データに基づいて作成される。
【００５７】
監視情報４９０は、各遠隔監視装置１００から、初期設定後送信される監視情報１６０を蓄積したものである。図６（ｃ）に示すように、遠隔監視装置１００の固有情報４９１毎に、監視対象設備２００の固有情報４９２が登録される。そして、監視対象設備２００の固有情報４９２毎に、センサＩＤ４９３と、センサ信号が示す状態４９４と、異常と判定された場合に設定される異常フラグ４９５と、取得時刻４９６とが登録される。
【００５８】
通信処理部４１１は、記憶部４３１に記憶される通信情報４４０を用いて、ネットワーク５０１を介した外部装置との通信を行う。本実施形態では、通信装置３００から初期設定要求データ（固有情報セット）を受信する。また、生成した初期設定データを、通信情報４４０を用いて送信データとして生成し、要求元の通信装置３００に送信する。また、各通信装置３００から送信される監視情報１６０を受信する。
【００５９】
制御部４１２は、各遠隔監視装置１００から送信される初期設定要求データに応じて、機種ＤＢ４５０および監視内容ＤＢ４６０を用いて初期設定データを生成する。また、初期設定要求データに応じて対応情報４７０を生成または更新する。さらに、各遠隔監視装置１００から送信される監視情報４９０を記憶部４３１に蓄積する。
【００６０】
［ハードウェア構成］
遠隔監視装置１００、各監視対象設備２００、通信装置３００および監視センタサーバ４００は、図７に示すように、ＣＰＵ６０１と、メモリ６０２と、記憶装置６０３と、を備える情報処理装置で実現される。記憶装置６０３に予め格納されたプログラムを、ＣＰＵ６０１がメモリ６０２にロードして実行することにより、上記各機能を実現する。また、処理に用いる各種のデータ、処理の途中で生成される各種のデータ、処理の結果得られる各種のデータは、記憶装置６０３またはメモリ６０２に格納される。
【００６１】
監視センタサーバ４００、監視対象設備２００および通信装置３００は、さらに、外部Ｉ／Ｆ６０４を備える。外部Ｉ／Ｆ６０４は、例えば、ＵＳＢ等である。また、通信装置３００および監視センタサーバ４００は、通信Ｉ／Ｆ６０５をさらに備える。通信Ｉ／Ｆ６０５は、有線または無線ＬＡＮインタフェース等である。さらに、監視センタサーバ４００および遠隔監視装置１００は、入出力装置６０６を備えていてもよい。入出力装置６０６は、例えば、ディスプレイ、スピーカ、マウス、キーボード、タッチパネル等である。
【００６２】
［初期設定処理］
上記各部による、初期設定処理の流れを説明する。図８は、本実施形態の初期設定処理の処理フローである。
【００６３】
まず、保守作業員が、外部機器Ｉ／Ｆ１２１に通信装置３００および監視対象設備２００を遠隔監視装置１００に接続し、遠隔監視装置１００の電源を投入する。
【００６４】
固有情報取得部１１２は、外部機器Ｉ／Ｆ１２１への物理的な接続および電源の投入を検出する（ステップＳ１１０１）と、外部機器Ｉ／Ｆ１２１に物理的に接続された各監視対象設備２００および通信装置３００に対し、固有情報リクエストを送信する（ステップＳ１１０２）。
【００６５】
次に、固有情報取得部１１２は、全ての機器と、正常に接続され、情報の授受が可能な状態となっているか否かを判別する（ステップＳ１１０３）。ここでは、送信した固有情報リクエスト（固有情報送信要求）に対し、所定の期間内に固有情報が返信されてきたか否かにより判別する。
【００６６】
１つでも、返信のない機器が有る場合、接続失敗（接続不良）を意味する情報を入出力制御部１１６から入出力装置６０６（出力部）に出力し、保守作業員に通知する（ステップＳ１１１０）。そして、ステップＳ１１０１へ戻り、保守作業員が、再度機器を接続し、電源を投入するのを待つ。
【００６７】
一方、全ての機器から固有情報が返信されてきた場合、固有情報取得部１１２は、それらの固有情報を収集する（ステップＳ１１０４）。ここでは、記憶部１３１に格納するとともに、要求データ作成部１１３に出力する。
【００６８】
次に、要求データ作成部１１３は、収集された固有情報と、記憶部１３１に格納される自身の固有情報１４０とを用いて、初期設定要求データを生成する（ステップＳ１１０５）。
【００６９】
生成された初期設定要求データは、外部機器Ｉ／Ｆ１２１を介して通信装置３００に出力される。通信装置３００では、通信処理部３１１が初期設定要求データから送信データを生成し、監視センタサーバ４００へ送信する（ステップＳ１１０６）。
【００７０】
ここで、生成される初期設定要求データ７１０および送信データ７２０の例を、図９に示す。
【００７１】
本図に示すように、初期設定要求データ７１０は、監視対象設備２００から取得した固有情報２４０と、通信装置３００から取得した固有情報３４０と、自身の固有情報１４０とから生成される。
【００７２】
また、送信データ７２０は、初期設定要求データ７１０に、通信情報３５０が備える監視センタサーバ４００のアドレス３５２が付加されたものである。
【００７３】
監視センタサーバ４００では、送信データ７２０として生成された初期設定要求データ７１０を受信すると（ステップＳ１２０１）、まず、制御部４１２が、対応情報４７０を更新する（ステップＳ１２０２）。
【００７４】
制御部４１２は、対応情報４７０内の既存のレコードを更新するか、新たなレコードを追加するかを、判別する。判別は、初期設定要求データ７１０の、遠隔監視装置１００の固有情報１４０の有無で行う。すなわち、対応情報４７０に、初期設定要求データ７１０に格納される固有情報１４０と同じ固有情報４７１が登録されていない場合、新規にレコードを追加する。
【００７５】
一方、同じ固有情報４７１が登録されている場合、既存の対応するレコードを、初期設定要求データ７１０に置き換えることにより、更新する。
【００７６】
本処理を具体例で説明する。
【００７７】
例えば、受信前の対応情報４７０が、図１０（ａ）に示すものであり、受信した初期設定要求データ７１０が、図１０（ｂ）に示すものであるとする。
【００７８】
この場合、初期設定要求データ７１０に格納される遠隔監視装置１００の固有情報１４０は、「ＡＡ００１」である。これと同じ固有情報４７１を有するレコードは、対応情報４７０には格納されていない。
【００７９】
従って、この場合、制御部４１２は、新たな遠隔監視装置１００が新規に立ち上げられたと判断し、初期設定要求データ７１０を、新たなレコード４７５として、対応情報４７０に追加する。
【００８０】
一方、受信前の対応情報４７０および受信した初期設定要求データ７１０が、それぞれ、図１１（ａ）および図１１（ｂ）に示すものであるとする。
【００８１】
この場合は、初期設定要求データ７１０に格納される遠隔監視装置１００の固有情報１４０の「ＡＡ００１」を、固有情報４７１に有するレコード４７６は、受信前の対応情報４７０に既に格納されている。
【００８２】
従って、制御部４１２は、この場合、既存の遠隔監視装置１００の、接続構成に変更があったと判断し、遠隔監視装置１００の固有情報４７１が同じレコード４７６を、初期設定要求データ７１０（レコード４７７）に置き換える。
【００８３】
図８に戻り、対応情報４７０を更新すると、制御部４１２は、機種ＤＢ４５０および監視内容ＤＢ４６０を参照し、初期設定データを生成する（ステップＳ１２０３）。
【００８４】
なお、生成した初期設定データは、設定情報４８０に追加される。このとき、ステップＳ１２０２で、新たな遠隔監視装置１００が立ち上げられたと判断された場合は、生成した初期設定データの各項目を、そのまま、新たに追加する。
【００８５】
一方、ステップＳ１２０２で、遠隔監視装置１００の接続構成に変更があったと判断された場合は、遠隔監視装置１００の固有情報１４０と同じ固有情報４９１を有するレコード群を、生成した初期設定データの各項目で置き換える。
【００８６】
ここで、初期設定データの生成手法を、図１２を用いて説明する。受信した初期設定要求データ７１０を、図１２（ａ）に示すものとする。また、機種ＤＢ４５０および監視内容ＤＢ４６０を、それぞれ、図１２（ｂ）および図１２（ｃ）に示すものとする。
【００８７】
制御部４１２は、まず、初期設定要求データ７１０の、遠隔監視装置１００および通信装置３００の固有情報１４０および３４０を、それぞれ格納する。そして、各監視対象設備２００の固有情報２４０毎に、まず、機種ＤＢ４５０を参照し、機種４５２を特定する。そして、監視内容ＤＢ４６０を参照し、対応する全ての監視内容（センサＩＤ４６２、部位４６３、判断基準（異常）４６４）を抽出する。抽出した監視内容を、固有情報２４０毎に付加し、図１２（ｃ）に示すように、初期設定データ７３０を生成する。
【００８８】
図８に戻り、制御部４１２が初期設定データ７３０を生成すると、通信処理部４１１は、生成した初期設定データ７３０を、初期設定要求データ７１０の送信元の通信装置３００に返信する（ステップＳ１２０４）。
【００８９】
初期設定データ７３０を受信（ステップＳ１１０７）した通信装置３００は、遠隔監視装置１００に送信する。遠隔監視装置１００では、初期設定データ７３０を受け取り、初期設定部１１４が、設定情報１５０に格納し（ステップＳ１１０８）、初期設定処理を終える。
【００９０】
初期設定処理を終えると、監視部１１５は、設定情報１５０に従って、各監視対象設備２００の監視を開始する。ここでは、以降、センサ信号を受信し、自身の監視情報１６０に格納するとともに、通信装置３００を介して監視センタサーバ４００に送信する。また、受信したセンサ信号を、設定情報１５０に格納されている監視内容と対照し、異常と判断される信号である場合、入出力制御部１１６に、出力装置に警告を出力させる。
【００９１】
以上説明したように、本実施形態の遠隔監視装置１００は、外部機器Ｉ／Ｆ１２１への監視対象設備２００の接続を検出すると、自動的に、これらの設備から固有情報を収集する。そして、収集した固有情報を用いて、初期設定要求を監視センタサーバ４００に送信する。監視センタサーバ４００では、初期設定要求に応じて初期設定を行い、要求元の遠隔監視装置１００に返信する。
【００９２】
このように、本実施形態によれば、遠隔監視装置１００において、自動的に初期設定要求が生成される。このため、保守作業員の、初期設定に関する手間が大幅に低減する。このため、本実施形態によれば、初期設定が容易である。
【００９３】
また、保守作業員は、初期設定のために固有情報等を入力する必要がない。このため、監視に必要な固有情報の登録ミスも発生しにくい。従って、確実に初期設定を行うことができる。従って、本実施形態によれば、１以上の監視対象設備を監視する遠隔監視装置において、容易かつ確実に初期設定を行うことができる。
【００９４】
また、本実施形態によれば、接続不良と判断された場合、保守作業員に警告を出力する。この警告により、保守作業員は、接続不良を把握でき、接続作業、あるいは、電源投入作業を再度行うことができる。
【００９５】
さらに、本実施形態によれば、監視センタサーバ４００側でも、予め初期設定に必要なデータを保持しておき、初期設定要求を受け取ると、自動的に初期設定を行う。このため、監視センタサーバ４００側でも、初期設定に関する手間が低減するとともに、手入力によるミスが発生しにくい。
【００９６】
なお、上記実施形態では、遠隔監視装置１００の固有情報取得部１１２が、固有情報リクエストに対する返信の有無で、監視対象設備２００および通信装置３００の遠隔監視装置１００の外部機器Ｉ／Ｆ１２１への接続の成否を判別しているが、これに限定されない。例えば、遠隔監視装置１００が、さらに接続検出部を備え、この接続検出部が、固有情報の収集とは独立に、外部機器Ｉ／Ｆ１２１への接続の成否を判別してもよい。
【００９７】
この場合、各装置が、外部機器Ｉ／Ｆ１２１へ物理的に接続され、遠隔監視装置１００の電源が投入されると、接続検出部は、各装置に接続確認要求を送信し、要求に応じた返信があれば、当該装置との接続成功と判断する。
【００９８】
また、上記実施形態では、監視センタサーバ４００は、対応情報４７０と設定情報４８０とを別個に備えている。しかしながら、対応情報４７０は備えなくてもよい。この場合、遠隔監視装置１００が新規に立ち上げられたものか、構成が変更になったものであるかの判断は、設定情報４８０に、当該遠隔監視装置１００の固有情報１４０が既に登録されているか否かにより行う。
【符号の説明】
【００９９】
１００：遠隔監視装置、１１２：固有情報取得部、１１３：要求データ作成部、１１４：初期設定部、１１５：監視部、１１６：入出力制御部、１２１：外部機器Ｉ／Ｆ、１３１：記憶部、１４０：固有情報、１５０：設定情報、１５２：固有情報、１５３：センサＩＤ、１５４：異常判定基準、１６０：監視情報、１６１：固有情報、１６２：センサＩＤ、１６３：状態、１６４：異常フラグ、１６５：取得時刻、
２００：監視対象設備、２０１：エレベーター、２０２：エスカレーター、２０３：エアコン、２２１：外部機器Ｉ／Ｆ、２３１：記憶部、２４０：固有情報、２５０：センサ、
３００：通信装置、３１１：通信処理部、３２１：外部機器Ｉ／Ｆ、３３１：記憶部、３４０：固有情報、３５０：通信情報、３５１：アドレス、３５２：アドレス、
４００：監視センタサーバ、４１１：通信処理部、４１２：制御部、４３１：記憶部、４４０：通信情報、４４１：アドレス、４４２：アドレス、４５０：機種ＤＢ、４５１：固有情報、４５２：機種、４６０：監視内容ＤＢ、４６１：機種、４６２：センサＩＤ、４６３：部位、４６４：異常判定基準、４７０：対応情報、４７１：固有情報、４７２：固有情報、４７３：固有情報、４７５：レコード、４７６：レコード、４７７：レコード、４８０：設定情報、４８１：固有情報、４８２：固有情報、４８３：固有情報、４８４：センサＩＤ、４９０：監視情報、４９１：固有情報、４９２：固有情報、４９３：センサＩＤ、４９４：状態、４９５：異常フラグ、４９６：取得時刻、
５００：遠隔監視システム、５０１：ネットワーク、６０１：ＣＰＵ、６０２：メモリ、６０３：記憶装置、６０４：外部Ｉ／Ｆ、６０５：通信Ｉ／Ｆ、６０６：入出力装置、７１０：初期設定要求データ、７２０：送信データ、７３０：初期設定データ
【図１】
2019106568.tif 000003
【図２】
2019106568.tif 000004
【図３】
2019106568.tif 000005
【図４】
2019106568.tif 000006
【図５】
2019106568.tif 000007
【図６】
2019106568.tif 000008
【図７】
2019106568.tif 000009
【図８】
2019106568.tif 000010
【図９】
2019106568.tif 000011
【図１０】
2019106568.tif 000012
【図１１】
2019106568.tif 000013
【図１２】
2019106568.tif 000014